(57)【要約】【課題】原子力発電プラントの水使用系統に亜鉛と鉄の薬剤を注入する系統を有する薬剤注入装置をよりコンパクトにすることができる。【解決手段】原子力発電プラント３０の原子力発電プラント用配管を介して水使用系統の配管に薬剤含有水を注入する原子力発電プラントにおける薬剤注入装置２５であって、亜鉛を含む亜鉛含有水を前記原子力発電プラントの水使用系統に注入する亜鉛注入系統２６と、鉄を含む鉄含有水を前記原子力発電プラントの水使用系統に注入する鉄注入系統２７とを備え、前記亜鉛注入系統２６の注入配管５３と鉄注入系統２７の注入配管５６の一方を他方に接続することを特徴とする。【選択図】図１
2018112438.tif 000002
【特許請求の範囲】
【請求項１】
原子力発電プラントの原子力発電プラント用配管を介して水使用系統の配管に薬剤含有
水を注入する原子力発電プラントにおける薬剤注入装置であって、
亜鉛を含む亜鉛含有水を前記原子力発電プラントの水使用系統に注入する亜鉛注入系統
と、
鉄を含む鉄含有水を前記原子力発電プラントの水使用系統に注入する鉄注入系統とを備
え、
前記亜鉛注入系統の注入配管と鉄注入系統の注入配管の一方を他方に接続することを特
徴とする原子力発電プラントにおける薬剤注入装置。
【請求項２】
前記原子力発電プラント用配管は、復水配管または制御棒駆動水ポンプ吸込みラインで
あることを特徴とする請求項１記載の原子力発電プラントにおける薬剤注入装置。
【請求項３】
前記水使用系統は、原子力発電プラントの復水系、原子炉再循環系および原子炉冷却材
浄化系から選ばれる少なくとも１種の系統であることを特徴とする請求項１または請求項
２記載の原子力発電プラントにおける薬剤注入装置。
【請求項４】
前記鉄注入系統の鉄注入流量は、前記亜鉛注入系統の亜鉛注入流量の１／２０〜１／５
の範囲であることを特徴とする請求項１から請求項３の何れか１項記載の原子力発電プラ
ントにおける薬剤注入装置。
【請求項５】
前記亜鉛注入系統の亜鉛注入流量と前記鉄注入系統の鉄注入流量を個別に制御できる制
御装置を有することを特徴とする請求項１から請求項４の何れか１項記載の原子力発電プ
ラントにおける薬剤注入装置。
【請求項６】
前記鉄注入系統の鉄含有水は、亜鉛イオンの析出を防ぐために、炭酸ガスを溶解させた
水溶液であり、亜鉛含有水との混合後にも酸性を維持する炭酸ガスの濃度であることを特
徴とする請求項１から請求項５の何れか１項記載の原子力発電プラントにおける薬剤注入
装置。
【請求項７】
前記鉄注入系統の鉄含有水中の鉄は、オキシ水酸化鉄の形態であって、前記オキシ水酸
化鉄として、α−ＦｅＯＯＨ、またはγ−ＦｅＯＯＨを用いることを特徴とする請求項１
から請求項６の何れか１項記載の原子力発電プラントにおける薬剤注入装置。
【請求項８】
前記水使用系統には水使用系統内を流通している冷却水の亜鉛およびニッケルの濃度を
計測する計測装置が配設され、この計測装置で計測された亜鉛およびニッケルの濃度に基
づいて前記亜鉛注入流量と前記鉄注入流量は前記制御装置によって制御されることを特徴
とする請求項５記載の原子力発電プラントにおける薬剤注入装置。
【請求項９】
請求項８記載の計測装置を用いて、原子炉水のニッケル濃度を０．５ｐｐｂから２．０
ｐｐｂの範囲、かつ原子炉水の亜鉛濃度を０．５ｐｐｂから１０ｐｐｂの範囲となるよう
に、前記亜鉛注入系統の亜鉛注入流量、および前記鉄注入系統の鉄注入流量をフィードバ
ック制御することを特徴とする原子力発電プラントにおける薬剤注入方法。
【発明の詳細な説明】
【技術分野】
【０００１】
本発明の実施形態は、原子力発電プラントにおける配管内に薬剤を注入する薬剤注入装
置および薬剤注入方法に関する。
【背景技術】
【０００２】
原子力発電プラントにおいては、被ばく低減技術として、原子炉内に亜鉛を注入する技
術が知られている。
【０００３】
たとえば、炉内の亜鉛濃度が数ｐｐｂとなるように注入量を制御し、構造材表面での酸
化被膜性状を変化させることで炉水中のコバルト６０の付着を抑制できることが知られて
いる。
【０００４】
また、被ばく低減対策の他の技術として、運転中の原子炉水中に微量の鉄を注入し、炉
水中の鉄濃度を制御することで、配管への放射能付着抑制効果を保ちつつ燃料表面でのＮ
ｉＯを消滅させ、炉水放射能濃度を低減できることが知られている。
【０００５】
さらに、亜鉛や鉄を含む複数種類の薬剤含有水を水質および化学種濃度が所望のものに
なるように調整し、発電プラントの水使用系統中に複数種類の薬剤を同時に注入できる技
術が開発されている。
【先行技術文献】
【特許文献】
【０００６】
【特許文献１】特開平８−２２０２９３号
【特許文献２】特許第５５９１４５４号
【特許文献３】特許第５６７６８８８号
【発明の概要】
【発明が解決しようとする課題】
【０００７】
上記の亜鉛や鉄を注入する被ばく低減技術は、いずれも溶液や分散粒子等を原子炉系統
内に注入する技術である。しかし、上記の注入方法はそれぞれ単独で装置化されており、
これらを組み合わせた同時注入装置は開発されていない。このため、原子力発電プラント
に上記それぞれの注入技術を適用する場合には、それぞれの注入装置を別々に構築して、
設置しなければならず、また配置スペースの確保が困難という課題があった。
【課題を解決するための手段】
【０００８】
上記実施形態に係る原子力発電プラントにおける薬剤注入装置は、原子力発電プラント
の原子力発電プラント用配管を介して水使用系統の配管に薬剤含有水を注入する原子力発
電プラントにおける薬剤注入装置であって、亜鉛を含む亜鉛含有水を前記原子力発電プラ
ントの水使用系統に注入する亜鉛注入系統と、鉄を含む鉄含有水を前記原子力発電プラン
トの水使用系統に注入する鉄注入系統とを備え、前記亜鉛注入系統の注入配管と鉄注入系
統の注入配管の一方を他方に接続することを特徴とする。
【０００９】
上記実施形態に係る原子力発電プラントにおける薬剤注入方法は、上記注入装置に設け
られた亜鉛およびニッケルの濃度を計測する計測装置を用いて、原子炉水のニッケル濃度
を０．５ｐｐｂから２．０ｐｐｂの範囲、かつ原子炉水の亜鉛濃度を０．５ｐｐｂから１
０ｐｐｂの範囲となるように、前記亜鉛注入系統の亜鉛注入流量、および前記鉄注入系統
の鉄注入流量をフィードバック制御することを特徴とする。
【発明の効果】
【００１０】
本発明に係る原子力発電プラントにおける薬剤注入装置および薬剤注入方法によれば、複
数系統必要だった薬剤注入装置を一系統とすることができ、装置の構成をよりコンパクト
にすることができる。
【図面の簡単な説明】
【００１１】
【図１】本発明の実施形態を示す原子力発電プラントにおける薬剤注入装置の概略構成図。
【図２】図１に示した薬剤注入装置を示す概略構成図。
【図３】鉄化合物の分散安定性試験の結果を示す特性図。
【図４】本発明の他の実施形態を示す原子力発電プラントにおける薬剤注入装置の概略構成図。
【発明を実施するための形態】
【００１２】
以下、原子力発電プラントにおける薬剤注入装置の概略構成図を図１、薬剤注入装置を
示す概略構成図を図２として本発明の実施形態を説明する。
【００１３】
図１は、本発明に係る原子力発電プラントにおける薬剤注入装置の実施形態を表す概略
構成図である。なお、ここでは再循環ポンプを有する沸騰水型原子力発電プラント（以下
、ＢＷＲプラントという）を例にして説明する。
【００１４】
原子力発電プラントであるＢＷＲプラント３０は原子炉３１、タービン３、復水器４、
給水系３２、再循環系３３、残留熱除去系３４、原子炉冷却材浄化系３５等を備えている
。また、原子炉３１は炉心１４を内蔵する原子炉圧力容器１（以下、ＲＰＶという）を有
している。さらに、炉心１４には多数の燃料集合体（図示せず）が装荷され、炉心１４を
制御する制御棒３６が制御棒駆動機構２９によって挿脱自在に配置されている。この燃料
集合体は、核燃料で製造された複数の燃料ペレットが充填された複数の燃料棒を含んで構
成されている。
【００１５】
炉心１４に供給された冷却水は、燃料棒内の核燃料物質の核分裂で発生する熱によって
加熱され、蒸気になる。この蒸気は、ＲＰＶ１から主蒸気配管２を通ってタービン３に導
かれ、タービン３を回転させる。このタービン３の回転によってタービン３に連結された
発電機（図示せず）が回転され、電力が発生する。タービン３で仕事をした蒸気は、復水
器４で凝縮され、復水になる。
【００１６】
この復水は復水配管８を通り、低圧復水ポンプ５で昇圧され、復水ろ過装置６および復
水脱塩装置７で不純物が除去され、高圧復水ポンプ９、給水ポンプ１１でさらに昇圧され
、給水として低圧給水加熱器１０および高圧給水加熱器１２で加熱される。この昇温・昇
圧された給水は給水配管１３を介して再びＲＰＶ１に導かれる。
【００１７】
このＲＰＶ１には再循環系３３が接続されており、この再循環系３３は再循環配管１６
に再循環ポンプ１５を設置して構成されている。この再循環系３３には残留熱除去系３４
の一端が接続されており、この残留熱除去系３４は残留熱除去系配管１９に熱交換器１７
、および残留熱除去ポンプ１８を設置して構成され、その多端はＲＰＶ１に直接導かれる
ように構成されている。
【００１８】
また再循環系３３には原子炉冷却材浄化系３５の一端が接続されており、この原子炉冷
却材浄化系３５は、再循環系配管１６と給水配管１３を連絡する原子炉冷却材浄化系配管
２４に、再生熱交換器２０、非再生熱交換器２１、原子炉冷却材浄化ポンプ２２およびろ
過脱塩装置２３を設置して構成される。
【００１９】
なお、ここでインターナルポンプ（図示せず）を有するＡＢＷＲプラントにおいては再
循環系３３を有していないので、残留熱除去系３４および原子炉冷却材浄化系３５は直接
ＲＰＶ１から冷却材が導かれる構成となっている。
【００２０】
このように構成されたＢＷＲプラント３０において、薬剤注入装置２５は、発電プラン
ト用配管、たとえば復水配管８を介してＢＷＲプラント３０の水使用系統に薬剤含有水を
注入する構成を有しており、水中に亜鉛を含む亜鉛含有水をＢＷＲプラント３０の水使用
系統に注入する亜鉛注入系統２６と、水中に鉄を含む鉄含有水をＢＷＲプラント３０の水
使用系統に注入する鉄注入系統２７を備え、亜鉛注入系統２６の亜鉛注入配管と鉄注入系
統２７の鉄注入配管の一方を他方に接続する構成となっている。
【００２１】
ここで、発電プラント用配管とは、復水脱塩装置７下流側または高圧復水ポンプ９上流
側の復水配管８、または図４に示すように復水配管８から分岐し制御棒駆動機構２９に導
かれＲＰＶ１内に制御棒駆動水を放出する制御棒駆動水ポンプ吸込みライン２８を意味し
、低温低圧の条件下で注入しＲＰＶ１内に薬剤を導くことのできる配管を意味している。
【００２２】
また、薬剤含有水とは、亜鉛含有水、鉄含有水のうち少なくとも１種の含有水が添加さ
れた水を意味する。
【００２３】
さらに、原子力発電プラントの水使用系統とは、原子力発電プラントの原子炉３１内に
冷却材を供給する給水系３２、原子炉３１内の冷却材を強制的に循環させる再循環系３３
、原子炉３１内の冷却材を浄化させる原子炉冷却材浄化系３５から選ばれる少なくとも１
種の系統を意味する。
【００２４】
次に図２を参照して、発電プラント用配管を介して発電プラントの水使用系統に薬剤含
有水を注入する薬剤注入装置２５について説明する。
【００２５】
薬剤注入装置２５は、亜鉛を含む亜鉛含有水を亜鉛含有水タンク５１から前記発電プラ
ントの水使用系統に注入する亜鉛注入系統２６と、鉄を含む鉄含有水を鉄含有水タンク５
４から前記発電プラントの水使用系統に注入する鉄注入系統２７を備える。
【００２６】
亜鉛注入系統２６は、亜鉛含有水を収容する亜鉛含有水タンク５１と、亜鉛含有水タン
ク５１と発電プラント用配管（復水配管８、制御棒駆動水ポンプ吸込みライン２８）５７
とを接続する亜鉛注入配管５３と、亜鉛注入配管５３中の亜鉛含有水を発電プラント用配
管５７に注入する亜鉛含有水ポンプ５２で構成される。
【００２７】
鉄注入系統２７は、鉄含有水を収容する鉄含有水タンク５４と、鉄含有水タンク５４と
発電プラント用配管５７とを接続する鉄注入配管５６と、鉄注入配管５６中の鉄含有水を
発電プラント用配管５７に注入する鉄注入ポンプ５５で構成される。
【００２８】
薬剤注入装置２５は、配置スペース等の制約を踏まえ小型化を図る必要がある。そこで
、亜鉛の溶解度を踏まえ、鉄注入系統２７の鉄注入流量を減少させつつ鉄含有水中の鉄濃
度を３００ppmの従来濃度から１５００ｐｐｍ〜６０００ｐｐｍに濃縮することで、従来
の鉄注入量を維持しつつ鉄注入系統２７を小型化する。現行の原子力発電プラント３０に
おける濃縮倍率、および目標とするＲＰＶ１内の原子炉水のニッケル濃度が０．５ｐｐｂ
から２．０ｐｐｂの範囲、かつ原子炉水の亜鉛濃度が０．５ｐｐｂから１０ｐｐｂの範囲
であることを考慮すると、鉄注入流量は亜鉛注入流量の１／２０〜１／５の範囲となる。
【００２９】
薬剤注入装置２５における炭酸ガス供給装置５８は、亜鉛含有水タンク５１および鉄含
有水タンク５４に接続され、散気管５９を介して亜鉛含有水タンク５１および鉄含有水タ
ンク５４に炭酸ガスを導入し、亜鉛含有水および鉄含有水に炭酸ガスを溶解した水溶液と
している。
【００３０】
また、制御装置６０は、亜鉛注入系統２６の亜鉛注入流量および鉄注入系統２７の鉄注
入流量を亜鉛注入ポンプ５２、鉄注入ポンプ５５の回転数等を制御することによって個別
にフィードバック制御できる装置である。原子力発電プラントの水使用系統にはこの水使
用系統内を流通している冷却水の亜鉛およびニッケルの濃度を計測する計測装置（図示せ
ず）が配設され、この計測装置で計測された亜鉛およびニッケルの濃度に基づいて亜鉛注
入流量と鉄注入流量は制御される。
【００３１】
亜鉛含有水とは、亜鉛を含む水を意味する。亜鉛の形態としては、たとえば、酸化亜鉛
、炭酸亜鉛、水酸化亜鉛が用いられる。この亜鉛含有水は、亜鉛を水に添加してイオン状
で溶解させることにより得られる。そして、亜鉛は酸性条件下で安定的に溶解するため、
炭酸ガス供給装置５８を用いて亜鉛含有水に炭酸ガスを溶解させている。
【００３２】
鉄含有水とは、鉄を含む水を意味する。鉄含有水は、鉄を水に添加して粒子状で分散さ
せることにより得られる。
【００３３】
薬剤同時注入を行う際、亜鉛含有水と鉄含有水が混合することで、混合後の薬剤含有水
が中性に移行した場合、亜鉛イオンが析出する可能性がある。そこで、炭酸ガス供給装置
５８を用いて鉄含有水に炭酸ガスを溶解させ鉄含有水を酸性にすることで、亜鉛含有水と
鉄含有水が混合した際にも、混合後の薬剤含有水は酸性を維持し、亜鉛イオンの析出を防
ぐことができる。よって、良好に薬剤を同時に注入することができる。
【００３４】
ここで、鉄含有水中の鉄は、鉄濃度を濃縮することで、鉄は凝集しやすくなり、かつ炭
酸ガス溶解による酸性条件下において、分散安定性が悪化する可能性がある。そこで、鉄
含有水中の鉄は、酸性条件かつ高濃度条件でも分散安定性を維持するようなオキシ水酸化
鉄の形態とし、前記オキシ水酸化鉄として、α−ＦｅＯＯＨ、またはγ−ＦｅＯＯＨを用
いることで鉄の分散安定性を維持することができる。なお、鉄の分散安定性については、
後述する試験により実機への注入鉄化合物として適していることを示す。
【００３５】
薬剤注入装置２５の動作について以下に説明する。まず、亜鉛注入系統２６の亜鉛含有
水タンク５１には亜鉛含有水を、鉄注入系統２７の鉄含有水タンク５４には鉄含有水をそ
れぞれ収容しておく。
【００３６】
次に、亜鉛注入系統２６の亜鉛含有水ポンプ５２、鉄注入系統２７の鉄含有水ポンプ５
５をそれぞれ必要により稼働して、亜鉛含有水および鉄含有水を発電プラントの水使用系
統に注入する。
【００３７】
亜鉛注入流量および鉄注入流量は、原子力発電プラントの水使用系統に設置された計測
装置によって計測された水質データに基づき、制御装置６０によりフィードバック制御さ
れる。この水質データは、たとえば原子炉水の亜鉛濃度、ニッケル濃度がある。過去から
現在までの当該原子力発電プラントの水使用系統の水質データが制御装置６０に集積され
ている。
【００３８】
本実施形態における亜鉛注入の効果について説明する。原子力発電プラントの水使用系
統へ亜鉛を注入すると、ステンレス鋼酸化皮膜中の内層であるクロム層に亜鉛が入り込み
、亜鉛クロマイトを形成する。この亜鉛クロマイトの形成によりステンレス鋼酸化皮膜中
の内層であるクロム層への放射能の取込が抑制され、それに伴って配管線量率が低下する
。
【００３９】
次に炉水亜鉛濃度範囲の根拠を示す。プラントの給水流量低下等の副次影響や米国電力
研究所（ＥＰＲＩ）の水質ガイドラインをふまえ、上限の炉水亜鉛濃度を１０ｐｐｂとす
る。また、実機での評価より亜鉛注入効果が得られる下限の炉水亜鉛濃度を０．５ｐｐｂ
とする。よって炉水亜鉛濃度を０．５ｐｐｂから１０ｐｐｂの間で制御するものとする。
【００４０】
さらに鉄注入の効果について以下に説明する。原子力発電プラントの水使用系統へ鉄を
注入すると、炉水中のニッケルと反応してニッケルフェライトを形成することでニッケル
が消費される。ニッケルフェライトは構造材表面に酸化被膜を形成し、放射能の取込みが
抑制される。一方、炉水のニッケルが消費されることで余剰ニッケルが減少し、燃料表面
ではＮｉＯが消滅する。ＮｉＯが消滅することで炉水への放射能の溶出が減少し、炉水放
射能濃度が低下する。
【００４１】
次に炉水ニッケル濃度範囲の根拠を示す。炉水ニッケル濃度は、炉水中の鉄とニッケル
の量的平衡によって変化する。炉水中に鉄が多い場合はニッケルフェライトおよびマグネ
タイトが生成し、炉水中にニッケルが多い場合はニッケルフェライトおよびＮｉＯが生成
する。鉄が過多の状態は、燃料へ付着した鉄化合物がコバルトを取込み、放射化して剥離
・溶出することで炉水放射能濃度の上昇につながるため、望ましくないと考えられている
。そこで、ニッケルが過多の状態を目標とするが、余剰ニッケルが増加すると燃料表面で
のＮｉＯの生成につながり、コバルトを取り込んだＮｉＯが溶出することで炉水放射能濃
度が上昇する。よって、炉水鉄濃度および炉水ニッケル濃度を、最適な範囲で制御するこ
とが必要となる。現行の原子力発電プラントにおける水質を考慮すると、炉水鉄濃度が０
．０５ｐｐｂから０．５ｐｐｂの範囲に入るよう鉄を注入すれば、炉水中の鉄とニッケル
の量的平衡により、炉水ニッケル濃度は０．５ｐｐｂから２．０ｐｐｂの範囲に調整する
ことができる。
【００４２】
（試験）
次に、本実施形態に係る薬剤注入装置に適用する鉄化合物の、分散安定性試験の結果を
説明する。図３に鉄化合物の分散安定性試験の結果を示す。
【００４３】
設定濃度（２５００ｐｐｍ）に対して実測濃度を相対値で表示した。この結果、大気飽
和条件、炭酸ガス飽和条件ともに、鉄クラッド濃度は安定的に推移した。また、２溶液と
も期間中イオン成分は設定濃度の０．１％以下で推移しており、溶解現象は生じなかった
。
【００４４】
よって、炭酸ガス飽和条件でもα−ＦｅＯＯＨの分散安定性は良好であり、実機への注
入鉄化合物として適している。
【００４５】
なお、鉄クラッド濃度が最初は低く、途中から増加傾向で推移したのは、試験開始直後
に容器へ鉄が付着し、その鉄が試験中に剥離してきたためと考えられる。
【００４６】
さらに、γ−ＦｅＯＯＨの試験例はないが同様のオキシ水酸化鉄であるのでα−ＦｅＯ
ＯＨと同様の分散安定性を得られるものと考える。
【００４７】
次に本発明の他の実施形態を図４を参照して説明する。図４は、本発明の他の実施形態
を示す原子力発電プラントにおける薬剤注入装置の概略構成図である。
【００４８】
図４は、発電プラント用配管として、復水脱塩装置７下流側または高圧復水ポンプ９上
流側の復水配管８、または復水配管８から分岐し制御棒駆動機構２９に導かれＲＰＶ１内
に制御棒駆動水を放出する制御棒駆動水ポンプ吸込みライン２８の何れか一方または両方
に薬剤注入装置２５から亜鉛含有水と鉄含有水の少なくとも一方を注入できる原子力発電
プラントにおける薬剤注入装置の実施形態を示している。図４において、原子力発電プラ
ントの水使用系統内を流通している冷却水の亜鉛およびニッケルの濃度に応じて復水配管
８および制御棒駆動水ポンプ吸込みライン２８の何れか一方、または注入量を多くする場
合には両方から、亜鉛および鉄のいずれか一方または両方を注入する構成としている。こ
の場合、復水配管８に亜鉛および鉄のいずれか一方または両方を注入する場合には制御弁
３７を開とし制御弁３８を閉とする。また、制御棒駆動水ポンプ吸込みライン２８に亜鉛
および鉄のいずれか一方または両方を注入する場合には制御弁３７を閉とし制御弁３８を
開とする。よって、複数系統必要だった薬剤注入装置２５を一系統とすることができ、装
置の構成をよりコンパクトにすることができる。
【００４９】
本発明のいくつかの実施形態を説明したが、これらの実施形態は、例として提示したも
のであり、発明の範囲を限定することは意図していない。
【００５０】
これら実施形態は、その他の様々な形態で実施されることが可能であり、発明の要旨を
逸脱しない範囲で、種々の省略、置き換え、変更、組み合わせを行うことができる。
【００５１】
これら実施形態やその変形は、発明の範囲や要旨に含まれると同様に、特許請求の範囲
に記載された発明とその均等の範囲に含まれるものである。
【符号の説明】
【００５２】
１…原子炉圧力容器（ＲＰＶ）、２…主蒸気配管、３…タービン、４…復水器、５…低圧
復水ポンプ、６…復水ろ過装置、７…復水脱塩装置、８…復水配管、９…高圧復水ポンプ
、１０…低圧給水加熱器、１１…給水ポンプ、１２…高圧給水加熱器、１３…給水配管、
１４…炉心、１５…再循環ポンプ、１６…再循環配管、１７…熱交換器、１８…残留熱除
去ポンプ、１９…残留熱除去系配管、２０…再生熱交換器、２１…非再生熱交換器、２２
…原子炉冷却材浄化系ポンプ、２３…ろ過脱塩装置、２４…原子炉冷却材浄化系配管、２
５…薬剤注入装置、２６…亜鉛注入系統、２７…鉄注入系統、２８…制御棒駆動水ポンプ
吸込みライン、２９…制御棒駆動機構、３０…沸騰水型原子力発電プラント（ＢＷＲプラ
ント）、３１…原子炉、３２…給水系、３３…再循環系、３４…残留熱除去系、３５…原
子炉冷却材浄化系、３６…制御棒、３７…制御弁、３８…制御弁、５１…亜鉛含有水タン
ク、５２…亜鉛注入ポンプ、５３…亜鉛注入配管、５４…鉄含有水タンク、５５…鉄注入
ポンプ、５６…鉄注入配管、５７…発電プラント用配管、５８…炭酸ガス供給装置、５９
…散気管、６０…制御装置。
【図１】
2018112438.tif 000003
【図２】
2018112438.tif 000004
【図３】
2018112438.tif 000005
【図４】
2018112438.tif 000006